(57)【要約】【課題】電装品カバーの形状寸法を変更することなく、また、電装品カバー５を射出成形する金型についても既存の金型をそのまま使用して、電装品カバーの機械強度の向上と安定を図ることを可能にすると同時に、電装品カバーの更なる低コスト化と成形性向上をも可能にし、確実に安全性を実現する密閉型圧縮機を提供する。【解決手段】圧縮機本体１に固定されたブラケット３に係止固定される電装品カバー１０５を、ガラス繊維を含有すると共に、ガラス繊維の長さをコントロールした繊維強化プラスチックで形成したことにより、電装品カバー１０５の成型を、確実な品質確保と安定性を実現するものとし、圧縮機の安全性をはかることができる。【選択図】図１
2012102609.tif 000002
【特許請求の範囲】
【請求項１】
圧縮機本体と、前記圧縮機本体内に収容された電動要素と、前記電動要素と前記圧縮機本体の外部とを接続するターミナルと、前記ターミナルを囲むように前記圧縮機本体に固定されたブラケットと、前記ターミナルに挿入固定された電装品と、前記ブラケットに前記電装品を覆うように係止固定された電装品カバーを備え、前記電装品カバーを、ガラス繊維を含有すると共に、ガラス繊維の長さをコントロールした繊維強化プラスチックで形成した密閉型圧縮機。
【請求項２】
前記繊維強化プラスチックに含有するガラス繊維に、無アルカリガラスを使用した請求項１に記載の密閉型圧縮機。
【請求項３】
前記繊維強化プラスチックに含有するガラス繊維の長さを、１００μｍ以上とした請求項１または２に記載の密閉型圧縮機。
【請求項４】
前記繊維強化プラスチックに含有するガラス繊維の長さを、７００μｍ以下とした請求項１から３のいずれか１項に記載の密閉型圧縮機。
【請求項５】
前記繊維強化プラスチックを、ポリカーボネートで形成した請求項１から４のいずれか１項に記載の密閉型圧縮機。
【発明の詳細な説明】
【技術分野】
【０００１】
本発明は、冷蔵庫、エアーコンディショナー、冷凍冷蔵装置等に用いられる密閉型圧縮機の電装品カバー構造に関するものである。
【背景技術】
【０００２】
近年、密閉型圧縮機は、冷凍機・空調機用の圧縮機としてさまざまな分野で広く活用されており、小型化、高耐久性に対する要求がますます高まっている。
【０００３】
従来の密閉型圧縮機としては、電装品カバーの構造を工夫することによって、電装品カバーの固定金具を廃止すると同時に、電装品カバーの固定作業性を向上させ、低コスト化を図ったものがある（例えば、特許文献１参照）。
【０００４】
以下、図面を参照しながら上記従来技術の圧縮機について説明する。
【０００５】
図６は、従来の圧縮機の斜視図で、溶接固定されたブラケットと電装品を覆う電装品カバーを係止固定する前の斜視図である。図７は、従来の圧縮機の要部側面図で、溶接固定されたブラケットと電装品カバーを係止固定した後の要部側面図である。
【０００６】
図６および図７において、圧縮機本体１にターミナル２が溶接固定されている。そして、ターミナル２を囲うように略口字状のブラケット３が圧縮機本体１に溶接固定されている。
【０００７】
ブラケット３には、対向する左右の両壁に、それぞれ係止穴３ａを設けている。そして、ターミナル２に挿入固定される電装品４を設けている。電装品カバー５は、対向する左右の両壁のそれぞれ外側において、ブラケット３の係止穴３ａに対応する位置に、傾斜状の突起５ａを設けている。
【０００８】
以上のように構成された圧縮機の電装品カバーについて、以下、その動作を説明する。
【０００９】
まず、圧縮機本体１に溶接固定されたターミナル２に、電装品４を挿入固定する。
【００１０】
次に、圧縮機本体１に溶接固定されたブラケット３の略口字状の内壁に沿って、電装品カバー５を挿入する。その際、ブラケット３の係止穴３ａに、電装品カバー５の傾斜状の突起５ａが嵌まり込むことによって外れ防止となり、挿入作業が完了する。
【００１１】
これらの構造により電装品カバー５の固定用の金具が廃止でき、低コスト化を図っている。
【先行技術文献】
【特許文献】
【００１２】
【特許文献１】特開平０７−１３９４６６号公報
【発明の概要】
【発明が解決しようとする課題】
【００１３】
しかしながら、前記従来の構成では、電装品カバー５の機械的強度にばらつきがあり、圧縮機本体１に電装品カバー５を取り付けた状態で、電装品カバー５に衝撃を加える安全性試験を行うと、傾斜状の突起５ａに欠けの発生が生じ、さらに、電装品カバー５単品に
、所定の高さから鉄球を落下衝突させて衝撃を加える安全性試験においては、電装品カバー５に亀裂が入るなどの問題が起こる可能性を有していた。
【００１４】
本発明は上記従来の課題を解決するもので、電装品カバーの形状寸法を変更することなく、電装品カバーを射出成形する金型についても、既存の金型をそのまま使用して、電装品カバーの機械強度の向上と安定を図ることを可能にすると同時に、電装品カバーの更なる低コスト化と、成形性向上をも可能にし、確実に安全性を実現する密閉型圧縮機を提供することを目的とする。
【課題を解決するための手段】
【００１５】
上記従来の課題を解決するために本発明の密閉型圧縮機は、圧縮機本体に固定されたブラケットに係止固定される電装品カバーが、ガラス繊維を含有すると共に、ガラス繊維の長さをコントロールした繊維強化プラスチックで形成したもので、電装品カバーに衝撃を加える安全性試験でも、傾斜状の突起の欠けの発生がなく、かつ電装品カバー本体に亀裂が入ることのない、確実な安定性を実現することができる。
【発明の効果】
【００１６】
本発明の密閉型圧縮機は、電装品カバーの形状寸法を変更することなく、電装品カバーを射出成形する金型についても既存の金型をそのまま使用することができ、電装品カバーの機械強度の向上と安定をはかることを可能にすると同時に、電装品カバーのさらなる低コスト化と成形性向上をも可能にし、確実に安全性を実現する密閉型圧縮機を提供することができる。
【図面の簡単な説明】
【００１７】
【図１】本発明の実施の形態１における密閉型圧縮機の斜視図
【図２】本発明の実施の形態１における密閉型圧縮機の要部側面図
【図３】本発明の実施の形態１における密閉型圧縮機の電装品カバーの正面図
【図４】本発明の実施の形態１における密閉型圧縮機の電装品カバーの側面図
【図５】本発明の実施の形態１における密閉型圧縮機の電装品カバーの含有ガラス繊維の長さ分布図
【図６】従来の圧縮機の斜視図
【図７】従来の圧縮機の要部側面図
【発明を実施するための形態】
【００１８】
第１の発明は、圧縮機本体と、前記圧縮機本体内に収容された電動要素と、前記電動要素と前記圧縮機本体の外部とを接続するターミナルと、前記ターミナルを囲むように前記圧縮機本体に固定されたブラケットと、前記ターミナルに挿入固定された電装品と、前記ブラケットに前記電装品を覆うように係止固定された電装品カバーを備え、前記電装品カバーを、ガラス繊維を含有すると共に、ガラス繊維の長さをコントロールした繊維強化プラスチックで形成したものである。
【００１９】
これによって、電装品カバーの形状寸法を変更することなく、電装品カバーを射出成形する金型についても既存の金型をそのまま使用することができる。そして、電装品カバーの機械強度の向上と安定をはかると同時に、電装品カバーの更なる低コスト化と成形性向上をも可能にし、確実に安全性の高い圧縮機を提供することができる。
【００２０】
第２の発明は、特に、第１の発明の繊維強化プラスチックに含有するガラス繊維に、無アルカリガラスを使用したものである。
【００２１】
これにより、電装品カバーの表面の劣化を防止することができ、機械強度の長期安定化
を維持することができる。その結果、より信頼性の高い圧縮機を提供することができる。
【００２２】
第３の発明は、特に、第１または第２の発明の繊維強化プラスチックに含有するガラス繊維の長さを、１００μｍ以上としたものである。
【００２３】
これによって、最低限必要なガラス繊維長さをコントロールすることに伴い、ガラス繊維の補強効果を向上させることができる。その結果、電装品カバーの機械強度をより安定させることができ、またガラス繊維長さのコントロールによって、収縮率がさらに低減する。これにより、電装品カバーの成形時の反りを抑制することができるので、より安全性の高い、より成形品質の高い圧縮機を提供することができる。
【００２４】
第４の発明は、特に、第１から３のいずれか１つの発明の繊維強化プラスチックに含有するガラス繊維の長さを、７００μｍ以下としたものである。
【００２５】
これによって、抑制すべき最長のガラス繊維長さをコントロールすることに伴い、射出成形時の溶融流動性を安定させることができ、より生産性の高い圧縮機を提供することができる。
【００２６】
第５の発明は、特に、第１から４のいずれか１つの発明の繊維強化プラスチックを、ポリカーボネートで形成したものである。
【００２７】
これによって、市販製の高いベース材料の使用が可能となり、より低コストの圧縮機を提供することができる。
【００２８】
以下、本発明の実施の形態について、図面を参照しながら説明する。なお、この実施の形態によってこの発明が限定されるものではない。
【００２９】
（実施の形態１）
図１は、本発明の実施の形態１における密閉型圧縮機の斜視図で、溶接固定されたブラケットと電装品を覆う電装品カバーの係止固定前の状態図、図２は、本発明の実施の形態１における密閉型圧縮機の要部側面図で、溶接固定されたブラケットと電装品カバーの係止固定後の状態図、図３は、本発明の実施の形態１における密閉型圧縮機の電装品カバーの正面図、図４は、本発明の実施の形態１における密閉型圧縮機の電装品カバーの側面図、図５は、本発明の実施の形態１における密閉型圧縮機の電装品カバーの含有ガラス繊維の長さ分布図である。
【００３０】
図１から図３において、圧縮機本体１には、ターミナル２が溶接固定されている。そして、ターミナル２を囲うように略口字状のブラケット３が圧縮機本体１に溶接固定されている。ブラケット３には、対向する左右の両壁に、それぞれ係止穴３ａを設けている。そして、ターミナル２には、電装品４が挿入固定されている。電装品カバー１０５は、厚さ２ｍｍの略直方体の形状を成し、圧縮機本体１側に開口部１０６を有する。電装品カバー１０５の対向する左右の両壁のそれぞれ外側には、ブラケット３の係止穴３ａに対応する位置に傾斜状の突起１０７を設けている。
【００３１】
次に、電装品カバー１０５についてさらに詳しく述べる。電装品カバー１０５は、材料内部に、ガラス繊維を含有して繊維強化したポリカーボネートを材料にして、射出成形法で形成されている。
【００３２】
さらに、含有したガラス繊維の種類は、石英の無アルカリガラスを採用しており、射出成形前の溶融状態のポリカーボネート基材に混合されている。これは、ガラスが、繊維状
にして使われる場合、一般のアルカリガラスでは表面の劣化による強度の低下が著しいためである。
【００３３】
さらに、含有したガラス繊維は、１００μｍから７００μｍの範囲の長さのものが含有されている。プラスチック材料は、単体では弾性率が低く構造用材料としては適していないが、ガラス繊維を混合することで高強度と高靭性を得ることができる。
【００３４】
しかし、長さ５０μｍ程度の短いガラス繊維が含有されている場合は、電装品カバー１０５のように薄肉かつ、一面全面に開口部１０６を有する部品では、十分な強度を確保することができない。
【００３５】
また逆に、含有するガラス繊維の長さが長すぎる場合は、射出成形前の段階で、材料の溶融流動性が悪化する。
【００３６】
前記材料で形成された電装品カバー１０５は、含有するガラス繊維に石英の無アルカリガラスを使用しているので、ガラス繊維の含有による強度向上に加え、表面の劣化を防止することで、安定した強度を確保することができる。
【００３７】
さらに、含有したガラス繊維の長さを１００μｍから７００μｍの範囲に規定したもので、ガラス繊維長さの下限を１００μｍ以上とすることで、電装品カバー１０５として必要な強度を確保し、またガラス繊維長さの上限を７００μｍ以下とすることで、材料の溶融流動性を維持することができる。
【００３８】
したがって、電装品カバー１０５のように薄肉かつ、一面全面に開口部１０６を有する部品であっても、十分な強度を確保するとともに、既存の金型で射出成形しても製品の寸法精度を確保できるものである。
【００３９】
以上の構成の圧縮機において、圧縮機本体１に電装品カバー１０５を取り付けた状態で、電装品カバー１０５に衝撃を加える安全性試験を行い、また、電装品カバー１０５単品に、所定の高さから鉄球を落下衝突させて衝撃を加える安全性試験を行った結果、傾斜状の突起１０７の欠けの発生もなく、さらに電装品カバー１０５の亀裂の発生もないことが確認できた。
【００４０】
このように、含有したガラス繊維の種類に、石英の無アルカリガラスを採用し、さらに、市販製の高いポリカーボネートをベース材料として、含有ガラス繊維を１００μｍから７００μｍの範囲の長さにコントロールすることで、形状寸法を変更することなく、電装品カバー１０５を成型することができる。また、電装品カバー１０５を射出成形する金型についても、既存の金型をそのまま使用することが可能となり、電装品カバー１０５の機械強度の向上と安定をはかると同時に、電装品カバーの更なる低コスト化と成形性の向上をはかることができる。
【００４１】
以上のように本実施の形態１によれば、電装品カバーの形状寸法を変更することなく、電装品カバーを射出成形する金型についても既存の金型をそのまま使用して、電装品カバーの機械強度の向上と安定化をはかることを可能にすると同時に、電装品カバーのさらなる低コスト化と、成形性向上をも可能にし、確実に安全性を実現する密閉型圧縮機を提供することができる。
【産業上の利用可能性】
【００４２】
以上のように、本発明にかかる密閉型圧縮機は、高い生産性を確保しながら、低コストで、かつ耐久性の高い圧縮機が可能になるため、家庭用冷蔵庫に限らず、除湿機やショー
ケース、自販機等の冷凍サイクルに用いる圧縮機にも適用できる。
【符号の説明】
【００４３】
１  圧縮機本体
２  ターミナル
３  ブラケット
４  電装品
１０５  電装品カバー
１０６  開口部
１０７  突起
【図１】
2012102609.tif 000003
【図２】
2012102609.tif 000004
【図３】
2012102609.tif 000005
【図４】
2012102609.tif 000006
【図５】
2012102609.tif 000007
【図６】
2012102609.tif 000008
【図７】
2012102609.tif 000009